(57)【特許請求の範囲】
【請求項１】
吸気口と排気口を有する本体ケースと、この本体ケース内に設けた空気調和手段と回路手段とから構成し、前記本体ケースは、前記本体ケースにおける前面側が開口した箱形状の背面ケース部と、この背面ケース部の底面に固定可能な平板形状の底面ケース部と、前記本体ケースにおける背面側が開口した前記回路手段を覆う回路ケース部と、前記背面ケース部の両側面周縁部に垂直方向にスライド可能な２つの側面ケース部と、前記背面ケース部の前面側に所定距離を有して着脱可能な前面パネル部とから形成し、前記回路ケース部は、上部に上部固定部と、下部に下部固定部とを備え、この下部固定部は、第１の締結手段によって前記背面ケース部に固定され、前記上部固定部は、前記側面ケース部と前記背面ケース部とに挟まれて固定され、前記側面ケース部は、前記回路ケース部と前記底面ケース部とに挟まれ固定され、前記底面ケース部は、第２の締結手段によって前記背面ケース部に固定され、前記第１の締結手段は、前記前面パネル部によって覆われることを特徴とする空気調和装置。
【請求項２】
前記側面ケース部の色は、前記背面ケース部または前記前面パネル部と異なる色であることを特徴とする請求項１に記載の空気調和装置。
【発明の詳細な説明】
【技術分野】
【０００１】
本発明は、室内を空気清浄、加湿、除湿等を行なう空気調和装置に関する。
【背景技術】
【０００２】
従来のこの種の空気調和装置の構成は以下のようになっていた。
【０００３】
すなわち、吸気口と排気口を有する本体ケースと、この本体ケース内に設けた空気調和手段と回路手段とから構成し、前記本体ケースは、前記本体ケースにおける前面側が開口した箱形状の背面ケース部と、前記本体ケースにおける背面側が開口した前記回路手段を覆う回路ケース部と、前記背面ケース部の前面側に所定距離を有して着脱可能な前面パネル部とから形成し、前記回路ケース部は、上部に上部固定部と、下部に下部固定部とを備え、この下部固定部は、第１の締結手段によって前記背面ケース部に固定され、前記上部固定部は、前記背面ケース部に係合し固定され、前記第１の締結手段は、前記前面パネル部によって覆われる構成となっていた。
【０００４】
（例えば、これに類似する先行文献は下記特許文献１に記載されている。）
【先行技術文献】
【特許文献】
【０００５】
【特許文献１】特開２０１１−０３３３０４号公報
【発明の概要】
【発明が解決しようとする課題】
【０００６】
上記従来例における課題は、空気調和装置のメンテナンス作業性の更なる向上ということであった。
【０００７】
すなわち、従来の物においては、締結手段であるねじ頭を見え難くする為に、回路ケース部は、上部に上部固定部と、下部に下部固定部とを備え、この下部固定部は、第１の締結手段によって背面ケース部に固定され、上部固定部は、背面ケース部に係合し固定され、第１の締結手段は、前面パネル部によって覆われる構成であった。
【０００８】
回路手段をメンテナンスする場合には、まず、前面パネル部を取り外し、次に、回路ケース部の第１の締結手段と、背面ケース部に係合した上部固定部とを外すことにより、回路ケース部を背面ケース部から取り外すことができるものである。ここで、回路ケース部は、本体ケースにおける前面方向にしか移動できないので、背面ケース部に係合した上部固定部を変形させて、取り外す構造であった。
【０００９】
すなわち、回路手段をメンテナンスする場合には、背面ケース部に係合した回路ケース部の上部固定部を変形させる為、回路ケース部の取り外しが困難であった。
【００１０】
そこで本発明は、空気調和装置のメンテナンス作業性の更なる向上を目的とするものである。
【課題を解決するための手段】
【００１１】
そしてこの目的を達成するために本発明は、吸気口と排気口を有する本体ケースと、この本体ケース内に設けた空気調和手段と回路手段とから構成し、前記本体ケースは、前記本体ケースにおける前面側が開口した箱形状の背面ケース部と、この背面ケース部の底面に固定可能な平板形状の底面ケース部と、前記本体ケースにおける背面側が開口した前記回路手段を覆う回路ケース部と、前記背面ケース部の両側面周縁部に垂直方向にスライド可能な２つの側面ケース部と、前記背面ケース部の前面側に所定距離を有して着脱可能な前面パネル部とから形成し、前記回路ケース部は、上部に上部固定部と、下部に下部固定部とを備え、この下部固定部は、第１の締結手段によって前記背面ケース部に固定され、前記上部固定部は、前記側面ケース部と前記背面ケース部とに挟まれて固定され、前記側面ケース部は、前記回路ケース部と前記底面ケース部とに挟まれ固定され、前記底面ケース部は、第２の締結手段によって前記背面ケース部に固定され、前記第１の締結手段は、前記前面パネル部によって覆われることを特徴とする構成であり、これにより、初期の目的を達成するものである。
【発明の効果】
【００１２】
以上のように本発明は、吸気口と排気口を有する本体ケースと、この本体ケース内に設けた空気調和手段と回路手段とから構成し、前記本体ケースは、前記本体ケースにおける前面側が開口した箱形状の背面ケース部と、この背面ケース部の底面に固定可能な平板形状の底面ケース部と、前記本体ケースにおける背面側が開口した前記回路手段を覆う回路ケース部と、前記背面ケース部の両側面周縁部に垂直方向にスライド可能な２つの側面ケース部と、前記背面ケース部の前面側に所定距離を有して着脱可能な前面パネル部とから形成し、前記回路ケース部は、上部に上部固定部と、下部に下部固定部とを備え、この下部固定部は、第１の締結手段によって前記背面ケース部に固定され、前記上部固定部は、前記側面ケース部と前記背面ケース部とに挟まれて固定され、前記側面ケース部は、前記回路ケース部と前記底面ケース部とに挟まれ固定され、前記底面ケース部は、第２の締結手段によって前記背面ケース部に固定され、前記第１の締結手段は、前記前面パネル部によって覆われることを特徴とする構成であり、空気調和装置のメンテナンス作業性の更なる向上を目的とするものである。
【００１３】
すなわち、回路ケース部の下部固定部は、第１の締結手段によって背面ケース部に固定され、上部固定部は、側面ケース部と背面ケース部とに挟まれて固定され、側面ケース部は、回路ケース部と底面ケース部とに挟まれ固定され、底面ケース部は、第２の締結手段によって背面ケース部に固定されるものである。
【００１４】
回路手段をメンテナンスする場合には、まず、第２の締結手段を外し、背面ケース部から底面ケース部を外す。次に、２つの底面ケース部を垂直下方にスライドさせ、背面ケース部から外す。この２つの底面ケース部を垂直下方にスライドさせることにより、側面ケース部と背面ケース部とに挟まれて固定されていた回路ケース部の上部固定部が外れる。最後に、第１の締結手段を外し、背面ケース部から回路ケース部の下部固定部を外す。これにより、本体ケースにおける前面方向へ移動できるので、上部固定部を変形させることなく、回路ケース部を背面ケース部から外ことができる。
【００１５】
これらの結果により、空気調和装置のメンテナンス作業性の更なる向上ができるものである。
【図面の簡単な説明】
【００１６】
【図１】本発明の実施の形態１の空気調和装置の斜視図
【図２】同空気調和装置の本体ケースの展開図
【図３】同空気調和装置の上部固定部を示す図
【発明を実施するための形態】
【００１７】
以下、本実施形態を添付図面を用いて説明する。
【００１８】
（実施の形態１）
図１、図２に示すように、本実施形態の空気調和装置は、吸気口２と排気口３を有する本体ケース１と、この本体ケース１内に設けた空気調和手段と、回路手段９とから構成している。
【００１９】
本体ケース１は、本体ケース１における背面側に位置する背面ケース部４と、底面側に位置する底面ケース部５と、左右側面側に位置する複数の側面ケース部６と、前面側上部に位置する回路ケース部７と、前面側下部に位置する前面パネル部８とから構成している。
【００２０】
背面ケース部４は、前面側が開口した箱形状で、天面には、横長四角形状の排気口を備え、両側面周縁部には、側面ケース部６を垂直方向にスライド可能に支持するスライド部１４を備えている。
【００２１】
底面ケース部５は、横長平板形状で、背面ケース部４の底面に第２の締結手段１１によって固定される。この第２の締結手段１１の１例は、ねじである。このねじを、底面ケース部５の下面から、底面ケース部５の孔部を介して垂直上方に挿入し、背面ケース部４に設けたボス部にねじ止めするものである。
【００２２】
側面ケース部６は、縦長四角形状の平板であり、背面ケース部４のスライド部１４の下端から垂直上方へ挿入すると、側面ケース部６の上端部は、回路ケース部７の内面上部に当接する。側面ケース部６の下端部は、背面ケース部４に固定される底面ケース部５の上面に当接する。すなわち、側面ケース部６は、回路ケース部７と底面ケース部５とに挟まれ固定される。
【００２３】
回路ケース部７は、本体ケース１における背面側が開口した垂直断面形状がコの字形状で、上部に上部固定部１２と、下部に下部固定部１３とを備えている。この上部固定部１２は、側面ケース部６と背面ケース部４とに挟まれて固定され、下部固定部１３は、第１の締結手段１０によって背面ケース部４に固定される。
【００２４】
前面パネル部８は、縦長四角形状の平板で、背面ケース部４の前面側に所定距離を有して着脱可能に設けられている。
【００２５】
すなわち、回路ケース部７の下部固定部１３は、第１の締結手段１０によって背面ケース部４に固定され、上部固定部１２は、側面ケース部６と背面ケース部４とに挟まれて固定され、側面ケース部６は、回路ケース部７と底面ケース部５とに挟まれ固定され、底面ケース部５は、第２の締結手段１１によって背面ケース部に固定されるものである。
【００２６】
回路手段９メンテナンスする場合には、まず、第２の締結手段１１を外し、背面ケース部４から底面ケース部５を外す。次に、複数の底面ケース部５を垂直下方にスライドさせ、背面ケース部４から外す。この複数の底面ケース部５を垂直下方にスライドさせることにより、側面ケース部６と背面ケース部４とに挟まれて固定されていた回路ケース部７の上部固定部１２が外れる。最後に、第１の締結手段１０を外し、背面ケース部４から回路ケース部７の下部固定部１３を外す。これにより、本体ケース１における前面方向へ移動できるので、上部固定部１２を変形させることなく、回路ケース部７を背面ケース部４から外ことができる。
【００２７】
これらの結果により、空気調和装置のメンテナンス作業性の更なる向上ができるものである。
【００２８】
側面ケース部６の色は、背面ケース部４または前面パネル部８と異なる色である。
【００２９】
側面ケース部６は、背面ケース部４または前面パネル部８より小さいので、少ない材料で側面ケース部６の色を変えることができる。これにより、背面ケース部４および前面パネル部８の色を増やさずに、側面ケース部６の色を増やすことにより、バリエーションを容易に増やすことができる。
【産業上の利用可能性】
【００３０】
以上のように本発明は、吸気口と排気口を有する本体ケースと、この本体ケース内に設けた空気調和手段と回路手段とから構成し、前記本体ケースは、前記本体ケースにおける前面側が開口した箱形状の背面ケース部と、この背面ケース部の底面に固定可能な平板形状の底面ケース部と、前記本体ケースにおける背面側が開口した前記回路手段を覆う回路ケース部と、前記背面ケース部の両側面周縁部に垂直方向にスライド可能な複数の側面ケース部と、前記背面ケース部の前面側に所定距離を有して着脱可能な前面パネル部とから形成し、前記回路ケース部は、上部に上部固定部と、下部に下部固定部とを備え、この下部固定部は、第１の締結手段によって前記背面ケース部に固定され、前記上部固定部は、前記側面ケース部と前記背面ケース部とに挟まれて固定され、前記側面ケース部は、前記回路ケース部と前記底面ケース部とに挟まれ固定され、前記底面ケース部は、第２の締結手段によって前記背面ケース部に固定され、前記第１の締結手段は、前記前面パネル部によって覆われることを特徴とする構成であり、空気調和装置のメンテナンス作業性の更なる向上を目的とするものである。
【００３１】
すなわち、回路ケース部の下部固定部は、第１の締結手段によって背面ケース部に固定され、上部固定部は、側面ケース部と背面ケース部とに挟まれて固定され、側面ケース部は、回路ケース部と底面ケース部とに挟まれ固定され、底面ケース部は、第２の締結手段によって背面ケース部に固定されるものである。
【００３２】
回路手段をメンテナンスする場合には、まず、第２の締結手段を外し、背面ケース部から底面ケース部を外す。次に、複数の底面ケース部を垂直下方にスライドさせ、背面ケース部から外す。この複数の底面ケース部を垂直下方にスライドさせることにより、側面ケース部と背面ケース部とに挟まれて固定されていた回路ケース部の上部固定部が外れる。最後に、第１の締結手段を外し、背面ケース部から回路ケース部の下部固定部を外す。これにより、本体ケースにおける前面方向へ移動できるので、上部固定部を変形させることなく、回路ケース部を背面ケース部から外ことができる。
【００３３】
これらの結果により、空気調和装置のメンテナンス作業性の更なる向上ができるものである。
【００３４】
従って、家庭用、事務所用などの、空気調和装置として活用が期待されるものである。
【符号の説明】
【００３５】
１    本体ケース
２    吸気口
３    排気口
４    背面ケース部
５    底面ケース部
６    側面ケース部
７    回路ケース部
８    前面パネル部
９    回路手段
１０  第１の締結手段
１１  第２の締結手段
１２  上部固定部
１３  下部固定部
１４  スライド部
【図１】
0005942093.tif 000002
【図２】
0005942093.tif 000003
【図３】
0005942093.tif 000004